(57)【要約】【課題】本発明は、巻上機を支持するための機械台の上に防振部材を介して巻上機を取付けるとともに、機械台の上で巻上機を容易に移動できるエレベータ用巻上機の支持装置を得ることを目的とする。【解決手段】エレベータ用巻上機の支持装置は、巻上機を支持するための機械台と、巻上機と機械台との間に設けられ機械台側が開口した収納空間を有する防振部材と、機械台の方へ進退可能に収納空間に配置された進退部材と、機械台と当接したときに機械台の上を転動可能に機械台側の進退部材に設けられたローラと、を備えたものである。【選択図】図３
2015145296.tif 000002
【特許請求の範囲】
【請求項１】
巻上機を支持するための台と、
前記巻上機と前記台との間に設けられ前記台側が開口した収納空間を有する防振部材と、
前記台の方へ進退可能に前記収納空間に配置された進退部材と、
前記台と当接したときに前記台の上を転動可能に前記台側の前記進退部材に設けられた転動部材と、
を備えたことを特徴とするエレベータ用巻上機の支持装置。
【請求項２】
前記巻上機に取付けられて前記収納空間に面したねじ穴を有する取付部材を備え、
前記進退部材は、前記ねじ穴にねじ込まれていることを特徴とする請求項１に記載のエレベータ用巻上機の支持装置。
【請求項３】
中心線が前記進退する方向に延びて内周側に前記転動部材が配置され、外周にねじ部を有する中空の円筒部材と、
前記ねじ部にねじ込まれるとともに上面が前記防振部材の下面と当接したリングナットと、を備えたことを特徴とする請求項１又は２に記載のエレベータ用巻上機の支持装置。
【請求項４】
前記台は、前記転動する方向に形成された側面を有し、
前記リングナットより下方の前記円筒部材に取付けられた取付部と、前記側面に対向する側面対向部と、を有する案内部材を備えたことを特徴とする請求項３に記載のエレベータ用巻上機の支持装置。
【請求項５】
前記台は、前記転動する方向に交差する方向へ突出された鍔部を有し、
前記案内部材は、前記鍔部の下面と対向する下面対向部と、前記下面に対して接近後退可能に前記下面対向部に取付けられたボルトと、を有することを特徴とする請求項４に記載のエレベータ用巻上機の支持装置。
【請求項６】
前記台は、前記転動部材に対向して突出するとともに前記転動する方向に延びる突部を有し、
前記転動部材は、前記突部と係合する溝部を外周に有することを特徴とする請求項１〜３のいずれかに記載のエレベータ用巻上機の支持装置。
【発明の詳細な説明】
【技術分野】
【０００１】
本発明は、エレベータ用巻上機を支持するための支持装置に関するものである。
【背景技術】
【０００２】
従来のエレベータ用巻上機の支持装置は、機械室の床に台を固定し、台の上に防振ゴムをボルト等により取付け、その上に巻上機を設置する。巻上機を安定して支持するために、巻上機の重心を考慮して複数の防振ゴムを台の上に配置する。これにより巻上機から床に伝わる振動を抑制したうえで、巻上機を床に支持している。
【０００３】
据え付けや保守のために、台の上で巻上機を移動するときは、台と巻上機の間にジャッキアップ装置を設置し、防振ゴムを取付けているボルト等を緩める。ジャッキアップ装置には台の上を移動するためのローラが設けてあり、巻上機をジャッキアップしたうえでジャッキアップ装置とともに巻上機を移動する。
（例えば、特許文献１参照）
【先行技術文献】
【特許文献】
【０００４】
【特許文献１】特開平６―１００２６７号公報
【発明の概要】
【発明が解決しようとする課題】
【０００５】
重量の大きい巻上機をジャッキアップして移動するので、巻上機の重心を考慮して慎重にジャッキアップ装置を配置しなければならず、作業に手間がかかる。また、ジャッキアップ装置は、巻上機を移動するとき以外は不要なため撤去するが、人力で取り扱うには重く、台と巻上機との間に設置し、撤去する作業に手間がかかる。
【０００６】
本発明は、かかる問題を解決するためになされたもので、巻上機を支持するための台の上に防振部材を介して巻上機を取付けるとともに、台の上で巻上機を容易に移動できるエレベータ用巻上機の支持装置を得ることを目的とする。
【課題を解決するための手段】
【０００７】
本発明に係るエレベータ用巻上機の支持装置は、巻上機を支持するための台と、巻上機と台との間に設けられ台側が開口した収納空間を有する防振部材と、台の方へ進退可能に収納空間に配置された進退部材と、台と当接したときに台の上を転動可能に台側の進退部材に設けられた転動部材と、を備えたものである。
【０００８】
本発明によれば、巻上機と台との間に防振部材を設けて、台により巻上機を支持する。巻上機を安定して支持するために、防振部材は巻上機の重心を考慮して台の上に配置する。このとき、進退部材は台に対して後退しており、転動部材は台と当接していない。台の上で巻上機を移動するときは、進退部材を台の方へ進め転動部材を台に当接すると、転動部材が台の上を転動可能となり巻上機を移動できるようになる。転動部材は、防振部材の収納空間に配置されているので、改めて巻上機の重心を考慮して台の上に配置する必要はなく、台の上で巻上機を容易に移動できるようになる。巻上機を所望の位置まで移動すると進退部材を後退し転動部材を台から離すことにより巻上機を移動しない状態に容易に戻せる。
【発明の効果】
【０００９】
本発明によれば、巻上機を支持するための台の上に防振部材を介して巻上機を取付けるとともに、台の上で巻上機を容易に移動できるエレベータ用巻上機の支持装置が得られる。
【図面の簡単な説明】
【００１０】
【図１】本発明の実施の形態１によるエレベータの機械室を示す平面図である。
【図２】図１に示す矢視Ａで、エレベータ用巻上機の支持装置を示す側面図である。
【図３】図２のエレベータ用巻上機の支持装置の要部を示す断面図である。
【図４】本発明の実施の形態２によるエレベータ用巻上機の支持装置の要部を示す断面図である。
【図５】本発明の実施の形態３によるエレベータ用巻上機の支持装置の要部を示す断面図である。
【発明を実施するための形態】
【００１１】
実施の形態１．
本発明の一実施の形態を図１から図３により説明する。図１は本発明の実施の形態１によるエレベータの機械室を示す平面図である。図２は図１に示す矢視Ａで、エレベータ用巻上機の支持装置を示す側面図である。図３は図２のエレベータ用巻上機の支持装置の要部を示す断面図で、巻上機を移動しない状態を示している。
【００１２】
図１、図２において、エレベータ機械室１の床３に支持装置５が３台並べて設置され、それぞれの支持装置５の上に巻上機７が設置されている。支持装置５には、台としての機械台９と支持部１１が設けられている。支持装置５は、浮かせ台１３を介して床３に取付けられている。巻上機７は下面に巻上機台１５が取付けられ、この巻上機台１５を介して支持装置５の上に取付けられている。
【００１３】
１台の支持装置５には、１つの機械台９が設けられている。１つの機械台９は、断面がＨ形の鋼材１７が２本平行に並べて構成されている。１本の鋼材１７は、それぞれ平板状の上辺１７ａと下辺１７ｂが互いに平行になり、上辺１７ａの中間部と下辺１７ｂの中間部とを縦辺１７ｃが連結している。下辺１７ｂが床３に平行になるように浮かせ台１３に取付けられ、上辺１７ａの上面１７ｄに支持部１１が取付けられている。なお、鋼材１７の断面はＨ形に限られるものではなく、例えば、コ形、Ｉ形でも良い。
【００１４】
１本の鋼材１７の上には、２つの支持部１１が間隔を置いて取付けられている。つまり、１台の巻上機７は、１台の支持装置５に設けられた４つの支持部１１で支持されている。安定して巻上機７を支持できるように、４つの支持部１１は巻上機７の重心を考慮して機械台９の上に配置されている。なお、支持部１１の数は、４つに限られるものではなく、安定して巻上機７を支持できれば４つよりも少なくても良いし、多くても良い。
【００１５】
巻上機７には、軸受台７ａ、綱車７ｂ、駆動部７ｃが設けられている。１本の鋼材１７の上に取付けられた２つの支持部１１により軸受台７ａが支持され、もう１本の鋼材１７の上に取付けられた２つの支持部１１により駆動部７ｃが支持されている。軸受台７ａと駆動部７ｃとの間に綱車７ｂが設けられている。２本の鋼材１７の間にそらせ車８が設置されている。支持装置５の横にエレベータの運転を制御する制御装置１９が設置されている。巻上機７を据え付けるときには、位置調整のために鋼材１７の上で巻上機７を移動する。また、保守時に作業スペースを確保するために、鋼材１７の上で巻上機７を移動する。
【００１６】
図３において、支持部１１は、上部に平板状の取付部材２１が設けられ、下部に平板状のベース２３が設けられている。取付部材２１はボルト６１により巻上機台１５に取付けられ、ベース２３はボルト６２により鋼材１７に取付けられている。取付部材２１の中央部には、巻上機台１５から機械台９の方へ貫通するねじ穴２１ａが設けられている。巻上機台１５のねじ穴２１ａに対向する位置には、ねじ穴２１ａと同じ方向に貫通する穴１５ａが設けられている。
【００１７】
ねじ穴２１ａには、外周にねじ部２５ａが設けられた進退部材としてのねじ棒２５がねじ込まれている。ねじ棒２５は、穴１５ａに通されて巻上機７の方へ突出されている。突出されたねじ棒２５の先端部には、六角柱の形状にねじ頭２５ｂが形成されている。スパナ等の工具でねじ頭２５ｂを掴み、ねじ棒２５を締め込む向きに回すと、ねじ棒２５は鋼材１７に近づく方へ進む。反対に、ねじ棒２５を緩める向きに回すとねじ棒２５は鋼材１７から離れる方へ後退する。このようにして、ねじ棒２５は鋼材１７に対して進退される。
【００１８】
ねじ棒２５の鋼材１７側の先端部には、スラスト軸受２７を介して転動部材としてのローラ２９が回転可能に設けられている。スラスト軸受２７は、ねじ棒２５の軸心回りに回転可能に設けられている。ローラ２９はねじ棒２５の軸心に直行する方向に延びる軸２９ａの回りに回転可能に設けられている。ねじ棒２５を回して鋼材１７に近づけて行くと、やがてローラ２９は鋼材１７に当接し、鋼材１７の上面１７ｄを転動可能になる。ねじ棒２５を反対に回して鋼材１７から離すと、ローラ２９は鋼材１７から離れる。
【００１９】
取付部材２１の鋼材１７側の面には、中空の円筒状の防振部材３１が取付けられている。防振部材３１の内部は収納空間３１ａとなっており、ねじ棒２５の取付部材２１から鋼材１７側へ突出されている部分が配置されている。収納空間３１ａの鋼材１７側は開口されており、ローラ２９が突出されている。
【００２０】
ベース２３の巻上機台１５側の面には、円筒部材３３が取付けられている。円筒部材３３には巻上機台１５から機械台９の方へ貫通された穴３３ａが設けられている。円筒部材３３の中心線は、ねじ棒２５が進退する方向に延びており、円筒部材３３の内周側にはローラ２９が配置されている。円筒部材３３は、防振部材３１の開口されたところから収納空間３１ａの内側に入り込んでいる。つまり、防振部材３１の内側に円筒部材３３が配置され、さらに円筒部材３３の内側にローラ２９が配置されている。
【００２１】
ベース２３には円筒部材３３の穴３３ａと対向するとともに、同じ方向に貫通する穴２３ａが設けられており、穴２３ａと穴３３ａとは連ねられている。ローラ２９はこれらの穴２３ａと穴３３ａとの中を進退され、鋼材１７に当接するようになっている。
【００２２】
円筒部材３３の外周には、ねじ部３３ｂが設けられ、ねじ部３３ｂには２個のリングナット３５，３７がねじ込まれている。リングナット３５，３７を回転させる向きに応じてリングナット３５，３７は、巻上機台１５の方へ移動したり、機械台９の方へ移動したりする。巻上機台１５側のリングナット３５の上面３５ａは、防振部材３１の下面３１ｂと当されている。リングナット３５を回転させると上面３５ａと下面３１ｂとは摺動し、取付部材２１に取付けられている防振部材３１は回転しない。機械台９側のリングナット３７は、ロックナットとして用いられ、巻上機台１５側のリングナット３５に当接して締め込むことにより、両方のリングナット３５，３７が自然に回転することを抑制して位置を固定できる。
【００２３】
図２、３では、機械台９の上で巻上機７を移動しないで、防振部材３１を介して巻上機７を支持しているときの状態を示している。機械台９の上にベース２３を介して円筒部材３３を支持し、円筒部材３３のねじ部３３ｂに取付けたリングナット３５の上に防振部材３１を支持している。そして、防振部材３１は、取付部材２１と巻上機台１５を介して巻上機７を支持している。ローラ２９は、機械台９から離している。これにより、巻上機７で発生した振動は、巻上機台１５から取付部材２１を介して防振部材３１に伝わり、防振部材３１によって低減される。
【００２４】
機械台９の上で巻上機７を移動するときは、ベース２３を機械台９に取付けているボルト６２を外す。そして、ねじ棒２５をねじ込んでローラ２９を機械台９に当接させる。このとき、防振部材３１とリングナット３５の間に隙間ができるまで、ねじ棒２５をねじ込む。このことを４つの支持部１１について行うと、取付部材２１から上の巻上機台１５、巻上機７の荷重は、４個のローラ２９で支持することになる。
【００２５】
ねじ棒２５の回転位置により、巻上機７を移動する方向とローラ２９が転動する向きが合っていない場合には、スラスト軸受２７の部分でローラ２９を回転させ、転動する向きを調整する。ローラ２９の向きの調整は、直接ローラ２９の向きを変えることもできるが、移動する方向へ巻上機７をゆっくりと押すことによってスラスト軸受２７の部分を回転させ、ローラ２９の転動する向きを調整するようにしても良い。そして、巻上機７を押して機械台９の上でローラ２９を転動させて巻上機７を移動する。
【００２６】
巻上機７を所望の位置まで移動すると、ねじ棒２５を緩める向きに回してローラ２９を機械台９から離す。これにともない、リングナット３５の上面３５ａと防振部材３１の下面３１ｂとが当接し、巻上機７は防振部材３１を介して支持される。
【００２７】
このように、ローラ２９が設けられている支持部１１は、予め安定して巻上機７を支持できるように巻上機７の重心を考慮して配置してあるので、ローラ２９の配置調整を改めて行うことなく容易にローラ２９で巻上機７を支持して移動できる。巻上機７を所望の位置まで移動すると、ねじ棒２５を緩めてローラ２９を機械台９から離すことにより、巻上機７を移動しない状態に容易に戻せる。
【００２８】
また、巻上機７を移動後、防振部材３１を介して支持するときに、それぞれの支持部１１の高さが変化し巻上機７を水平に支持するための調整が必要になることがある。この場合は、４つの支持部１１のリングナット３５を適宜回転させると防振部材３１の高さを容易に調整できる。また、ねじ棒２５、ローラ２９は、支持部１１の内部に設けてあるので、巻上機７を移動するときに、新たに搬入する装置が不要であり、また、移動後にねじ棒２５、ローラ２９が邪魔になることはない。
【００２９】
実施の形態２．
実施の形態１では、平板状のベースが鋼材の上辺に取付けられた場合で説明したが、本実施の形態では、ベースの代わりに断面がＣ字形状の案内部材１１０が設けられた場合で説明する。なお、他の実施の形態と同一符号の構成品は、本実施の形態において同一部分を示し、重複する説明については省略する。
【００３０】
実施の形態２を図４により説明する。図４は本発明の実施の形態２によるエレベータ用巻上機の支持装置の要部を示す断面図である。巻上機台１５、ローラ２９、機械台９等は、実施の形態１と同じであるが、実施の形態１の図３とは、見る方向が異なっており、図３の右側から見た状態を示したものが図４である。
【００３１】
図４において、鋼材１７の上辺１７ａは中間部が縦辺１７ｃに支持されており、左右両側へそれぞれ鍔部１７ｅ，１７ｆが突出されている。つまり、ローラ２９が転動し巻上機７が移動する方向に交差する方向へ鍔部１７ｅ，１７ｆが突出されている。突出された鍔部１７ｅ，１７ｆの先端部は、それぞれ鋼材１７の側面１７ｇ，１７ｈを成し、この側面１７ｇ，１７ｈはローラ２９が転動し巻上機７が移動する方向に平行に形成されている。
【００３２】
支持部１１１の下部には、断面がＣ字形状の案内部材１１０が設けられている。案内部材１１０の断面Ｃ字形状の中間部には平板状の取付部１１２が設けられている。巻上機７を移動しないときは、この取付部１１２の部分においてボルト６１（図示せず）により鋼材１７に取付けられている。取付部１１２の巻上機台１５側の面には、円筒部材３３が取付けられている。取付部１１２には、円筒部材３３の穴３３ａと対向するとともに同じ方向に貫通する穴１１２ａが設けられており、穴３３ａと穴１１２ａとは連ねられている。
【００３３】
取付部１１２の両側にはそれぞれ側面１７ｇ，１７ｈに対向する側面対向部１１４ａ，１１４ｂが設けられている。さらに、それぞれの側面対向部１１４ａ，１１４ｂの先には、鍔部１７ｅ，１７ｆの下面１７ｋ，１７ｍと対向する下面対向部１１６ａ，１１６ｂが設けられている。支持部１１１に対してそらせ車（図示せず）の反対側となる下面対向部１１６ｂには、鍔部１７ｆに対して接近後退可能にボルト１１８が設けれられている。ボルト１１８の先端と鍔部１７ｆとの間に所定の距離を開けたうえで、ボルト１１８に取付けたナット１２０を下面対向部１１６ｂに押し当てるように締め付けてボルト１１８が自然に回らないようにロックできるようにしてある。
【００３４】
このように構成された支持装置１０５において、機械台９の上で巻上機７を移動する場合は、ローラ２９を機械台９に当接した状態で、ボルト１１８の先端と鍔部１７ｆとの間に所定の距離を開けたうえで、ボルト１１８に取付けたナット１２０を下面対向部１１６ｂに押し当てるように締め付けてボルト１１８が自然に回らないようにロックしておく。
【００３５】
この状態で、巻上機７を移動しているときに、例えば、巻上機７のバランスが崩れて右の方へ傾むこうとしても、ボルト１１８の先端と鍔部１７ｆとが当たり、巻上機７が大きく傾くことを防止できる。このため、巻上機７の転倒を心配して慎重に移動させる必要がなくなり、容易に巻上機７の移動が行える。なお、本実施の形態では片方の下面対向部１１６ｂにボルト１１８を設けたが、両方の下面対向部１１６ａ，１１６ｂにボルト１１８を設けても良い。
【００３６】
また、巻上機７を移動しているときに、ローラ２９の進路が逸れようとしても、側面対向部１１４ａ，１１４ｂと側面１７ｇ，１７ｈとが当たり、ローラ２９の脱輪を防止できる。このため、ローラ２９の脱輪を心配して慎重に移動させる必要がなくなり、容易に巻上機７の移動が行える。
【００３７】
なお、本実施の形態では、左右両側へ鍔部１７ｅ，１７ｆが突出されている鋼材１７の場合で説明したが、例えば、左右の一方のみへ鍔部が突出されている断面がコ字形状の鋼材を使用しても良い。このとき機械台を構成する２本のコ字形状の鋼材を、それぞれの開口側が互いに反対側を向くように平行に配置し、それぞれの鋼材の上に案内部材を備えた支持部を設ける。これにより、巻上機が大きく傾くことやローラの脱輪を防止でき、容易に巻上機７の移動が行える。
【００３８】
実施の形態３．
実施の形態１、２では、平板状の上辺の上をローラが転動する場合で説明したが、本実施の形態では、上辺に突部を設け、ローラの外周に溝部を設け、突部と溝部とが係合するようにした場合で説明する。なお、他の実施の形態と同一符号の構成品は、本実施の形態において同一部分を示し、重複する説明については省略する。
【００３９】
実施の形態３を図５により説明する。図５は本発明の実施の形態３によるエレベータ用巻上機の支持装置の要部を示す断面図であり、ローラを機械台に当接させ巻上機を移動するときの状態を示している。図５は、図４と同じ方向から支持装置の要部を見た状態を示している。
【００４０】
図５において、支持装置２０５には機械台２０９と支持部２１１が設けられている。機械台２０９の鋼材２１７には、床と平行に設けられた上辺２１７ａと、上辺２１７ａを支持する縦辺２１７ｃが設けられている。上辺２１７ａにはローラ２２９に対向して断面三角の突部２１７ｐが突出して設けられている。突部２１７ｐはローラ２２９が転動して巻上機を移動する方向に延びて設けられている。ローラ２２９には外周を一周する断面三角の溝部２２９ｂが設けられている。ローラ２２９が上辺２１７ａと当接しているときは、突部２１７ｐと溝部２２９ｂとが係合できるようになっている。
【００４１】
このように構成された支持装置２０５において、機械台２０９の上で巻上機７を移動する場合は、ベース２３を機械台２０９に取付けているボルト（図示せず）を外し、ねじ棒２５をねじ込んでローラ２２９を機械台２０９に当接させる。スラスト軸受２７の部分でローラ２２９を回転させ、突部２１７ｐと溝部２２９ｂとを係合させたうえでローラ２２９により巻上機７を支持する。そして、巻上機７を押して機械台２０９の上でローラ２２９を転動させて巻上機７を移動する。突部２１７ｐと溝部２２９ａとが係合しているので、ローラ２２９は突部２１７ｐに沿って転動しローラ２２９の脱輪を防止できる。このため、ローラ２２９の脱輪を心配して慎重に移動させる必要がなくなり、容易に巻上機７の移動が行える。
【００４２】
なお、実施の形態１〜３では、ねじ穴２１ａにねじ棒２５をねじ込んだり、緩めたりしてローラ２９，２２９を進退させる場合で説明したが、他の手段でローラ２９，２２９を進退しても良く、例えば、油圧装置を利用しても良い。
【００４３】
また、実施の形態１〜３では、ねじ棒２５とローラ２９，２２９の間にスラスト軸受２７を設けた場合で説明したが、ねじ棒２５に対してローラ２９，２２９側を滑らせて回転するようにしても良い。
【符号の説明】
【００４４】
５，１０５，２０５  支持装置、  ７  巻上機、  ７ａ  軸受台、  ７ｂ  綱車、            ７ｃ  駆動部、  ９，２０９  機械台、  １１，１１１，２１１  支持部、                  １５  巻上機台、  １５ａ  穴、  １７，  ２１７  鋼材、  １７ａ，２１７ａ  上辺、１７ｂ  下辺、  １７ｃ，２１７ｃ  縦辺、  １７ｄ，２１７ｄ  上面、                  １７ｅ，１７ｆ  鍔部、  １７ｇ，１７ｈ  側面、  １７ｋ，１７ｍ  下面、                ２１  取付部材、  ２１ａ  ねじ穴、  ２５  ねじ棒、  ２５ａ  ねじ部、                ２５ｂ  ねじ頭、  ２９，２２９  ローラ、  ３１  防振部材、  ３１ａ  収納空間、      ３１ｂ  下面、  ３３  円筒部材、  ３３ａ  穴、  ３３ｂ  ねじ部、                    ３５  リングナット、  ３５ａ  上面、  ３７  リングナット、  １１０  案内部材、      １１２  取付部、  １１２ａ  穴、  １１４ａ，１１４ｂ  側面対向部、                  １１６ａ，１１６ｂ  下面対向部、  １１８  ボルト、  ２１７ｐ  突部、                ２２９ｂ  溝部
【図１】
2015145296.tif 000003
【図２】
2015145296.tif 000004
【図３】
2015145296.tif 000005
【図４】
2015145296.tif 000006
【図５】
2015145296.tif 000007